(57)【特許請求の範囲】
【請求項１】
3GPP  LTEネットワーク内の周波数間のハンドオーバーをサポートする非レガシーのユーザ装置（UE）であって、当該UEは：
当該UEで判断すべき複数の測定イベントを含む測定レポート構成メッセージを拡張型ノードＢ（eNB）から受け取ることであって、前記測定レポート構成メッセージは、レガシーUEによる使用のための第１測定イベントグループと、非レガシーUEによる使用のための第２測定イベントグループを含み；
組合せ測定イベントが発生するときに測定レポートを送信する；
ように更に構成されるハードウェア処理回路を備え、
前記組合せ測定イベントは、前記複数の測定イベントの全てが発生するときにトリガされ、
前記複数の測定イベントは、前記ネットワーク内における動作のために構成される１つ以上のセルから受信される１つ以上の信号に対して実行される、信号測定に関連する、
UE。
【請求項２】
前記組合せ測定イベントは、前記複数の測定イベントの全てが発生するときに前記組合せ測定イベントがトリガされるよう、「論理AND」演算子に従う前記複数の測定イベントの組合せを含み、
各信号測定は、基準信号受信品質（RSRQ）と基準信号受信パワー（RSRP）のうちの一方である、
請求項１に記載のUE。
【請求項３】
当該UEにおいて受信される前記信号は、サービングセルから及び／又は候補ハンドオーバーセルから受信される、
請求項２に記載のUE。
【請求項４】
前記複数の測定イベントのうちの少なくとも１つの測定イベントの発生は、該測定イベントについての信号測定結果と、所定の閾値との間の差に関連する、
請求項２に記載のUE。
【請求項５】
前記複数の測定イベントのうちの少なくとも１つの測定イベントの発生は、該測定イベントについての信号測定結果の間の差に関連し、前記信号測定結果は更に、サービングセル及び候補ハンドオーバーセルについての結果である、
請求項２に記載のUE。
【請求項６】
前記測定レポート構成メッセージは、前記複数の測定イベントの組合せについての１つ以上の論理演算子を更に含み、
前記論理演算子は、「論理AND」及び「論理OR」を含むグループからの値をとり；
前記組合せ測定イベントは、前記論理演算子が「論理AND」の値をとるとき、該「論理AND」演算子に従う前記複数の測定イベントの組合せを含む、
請求項２に記載のUE。
【請求項７】
候補論理演算子のグループは更に、「論理NAND」及び「論理NOR」及び「論理NOT」演算子を含む、
請求項６に記載のUE。
【請求項８】
前記複数の測定イベントのうちの少なくとも１つの測定イベントの発生は、RSRQとRSRQ閾値との間の差又は前記RSRQと別のRSRQとの間の差に関連し、
前記複数の測定イベントのうちの少なくとも１つの測定イベントの発生は、RSRPとRSRP閾値との間の差又は前記RSRPと別のRSRPとの間の差に関連する、
請求項２に記載のUE。
【請求項９】
前記複数の測定イベントの少なくとも一部について、各測定イベントの発生は、前記測定レポート構成メッセージ内に含まれる個々の信号測定に関連し、
各個々の信号測定は、RSRQとRSRPのうちの一方である、
請求項２に記載のUE。
【請求項１０】
前記ハンドオーバーは、第１の周波数帯域で動作するマクロセルと、第２の異なる周波数帯域で動作するマイクロセルとの間で起こる、
請求項１に記載のUE。
【請求項１１】
前記組合せ測定イベントの発生は、タイムトゥトリガ（TTT）タイマーパラメータに従う、時間期間の間の前記複数の測定イベントの発生を含む、
請求項１に記載のUE。
【請求項１２】
第１の測定イベントは、候補ハンドオーバーセルのRSRQと、サービングセルのRSRQとの間の差が第１のRSRQ閾値を超えるときに発生し、
第２の測定イベントは、前記候補ハンドオーバーセルの前記RSRQが第２のRSRQ閾値を超えるときに発生し、
前記組合せ測定イベントの発生は、前記第１の測定イベント及び前記第２の測定イベントの発生を含む、
請求項２に記載のUE。
【請求項１３】
前記第１の測定イベントはA3イベントであり、前記第２の測定イベントはA4イベントである、
請求項１２に記載のUE。
【請求項１４】
3GPP  LTEネットワーク内で動作する非レガシーのユーザ装置（UE）における周波数間のハンドオーバーの方法であって：
前記UEで判断すべき複数の測定イベントを含む測定レポート構成メッセージを受け取るスことであって、前記測定レポート構成メッセージは、レガシーUEによる使用のための第１測定イベントグループと、非レガシーUEによる使用のための第２測定イベントグループを含むことと；
前記複数の測定イベントの結合発生に関連する組合せ測定イベントについてモニタリングすることであって、前記複数の測定イベントは、サービングセル又は候補ハンドオーバーセルについて前記UEでの信号測定に少なくとも部分的に基づくことと；
前記組合せ測定イベントが発生するとき、測定レポートを送信することと；
前記組合せ測定イベントが発生するとき、前記候補ハンドオーバーセルと１つ以上のハンドオーバーセットアップメッセージを交換することと；
を含む、方法。
【請求項１５】
前記測定レポート構成メッセージは、前記組合せ測定イベントが「論理AND」演算子に従う前記複数の測定イベントの前記結合発生に関連することを示す、イベント関係演算子を含む、
請求項１４に記載の方法。
【請求項１６】
サービングeNBから、前記候補ハンドオーバーセルへハンドオーバーするよう前記UEに命令するハンドオーバーメッセージを受け取ること
を更に備える、請求項１４に記載の方法。
【請求項１７】
各測定イベントの発生は、基準信号受信品質（RSRQ）又は基準信号受信パワー（RSRP）の値に基づく、
請求項１４に記載の方法。
【請求項１８】
第１の測定イベントは、候補ハンドオーバーセルのRSRQと現在のセルのRSRQとの間の差が第１のRSRQ閾値を超えるときに発生し、
第２の測定イベントは、前記候補ハンドオーバーセルの前記RSRQが第２のRSRQ閾値を超えるときに発生し、
前記組合せ測定イベントの発生は、前記第１の測定イベント及び前記第２の測定イベントの発生を含む、
請求項１７に記載の方法。
【請求項１９】
非レガシーのユーザ装置（UE）において１つ以上のプロセッサに周波数間のハンドオーバーのための動作を実行させるコンピュータプログラムであって、前記動作は：
前記UEで判断すべき複数の測定イベントを含む測定レポート構成メッセージを拡張型ノードＢ（eNB）から受け取ることであって、前記測定レポート構成メッセージは、レガシーUEによる使用のための第１測定イベントグループと、非レガシーUEによる使用のための第２測定イベントグループを含むことと；
組合せ測定イベントが発生するときに測定レポートを送信することと；
を含み、
前記組合せ測定イベントは、前記複数の測定イベントの全てが発生するときにトリガされ、
前記複数の測定イベントは、ネットワーク内における動作のために構成される１つ以上のセルから前記UEにおいて受信される１つ以上の信号に対して実行される、信号測定に関連する、
コンピュータプログラム。
【請求項２０】
各信号測定は、基準信号受信品質（RSRQ）と基準信号受信パワー（RSRP）のうちの一方であり、
前記UEにおいて受信される前記信号は、サービングセルから及び／又は候補ハンドオーバーセルから受信される、
請求項１９に記載のコンピュータプログラム。
【請求項２１】
第１の測定イベントは、前記候補ハンドオーバーセルのRSRQと前記サービングセルのRSRQとの差が第１のRSRQ閾値を超えるときに発生するA3イベントであり、
第２の測定イベントは、前記候補ハンドオーバーセルの前記RSRQが第２のRSRQ閾値を超えるときに発生するA4イベントであり、
前記組合せ測定イベントの発生は、前記第１の測定イベント及び前記第２の測定イベントの発生を含む、
請求項２０に記載のコンピュータプログラム。
【請求項２２】
請求項１９乃至２１のいずれか一項に記載のコンピュータプログラムを格納する非一時的コンピュータ読取可能記憶媒体。
【発明の詳細な説明】
【技術分野】
【０００１】
優先権の主張
本出願は、2014年12月22日に出願された米国特許出願第14／578,961号の優先権の利益及び2014年4月28日に出願された米国特許仮出願第61／985,350号の優先権の利益を主張し、それぞれ参照によってその全体が本明細書に組み込まれる。
【０００２】
技術分野
実施形態は無線通信に関する。一部の実施形態は、LTEネットワークを含め、セルラ通信ネットワークに関する。一部の実施形態は、周波数間ハンドオーバー（inter-frequency  handover）を含め、ハンドオーバーに関する。一部の実施形態は、測定レポーティング、特に複数のイベントに基づく測定レポーティングに関する。
【背景技術】
【０００３】
モバイルデバイスは、小さなエリアにおいて向上したスループット又はキャパシティを提供し得る追加のマクロセルと一緒に、基地局のマクロセルオーバレイとともに構成されるセルラネットワークで動作することができる。受信信号の品質又はレベル等の様々な性能測定が、ハンドオーバー決定を助けるためにモバイルデバイス又は基地局で実行され得る。一部のシナリオでは、干渉が、予期されない方法でそのような測定に影響を与えることがあり、その結果、モバイルデバイス及び／又はネットワークにとって好ましくないハンドオーバーにつながることがある。例として、マクロセルのクラスタが展開されるとき、干渉は信号品質測定を歪めることがある。したがって、これら及び他のシナリオにおいてハンドオーバーを可能にする性能測定のシステム及び方法についての一般的なニーズが存在する。
【図面の簡単な説明】
【０００４】
【図１】一部の実施形態に係る3GPPネットワークの機能図である。
【０００５】
【図２】一部の実施形態に係るユーザ装置（UE）の機能図である。
【０００６】
【図３】一部の実施形態に係る拡張型ノードＢ（eNB）の機能図である。
【０００７】
【図４】一部の実施形態に係る、マクロセルオーバレイと複数のマイクロセルが展開されるシナリオの例を例示する図である。
【０００８】
【図５】一部の実施形態に係る、周波数間ハンドオーバーをサポートする方法の動作を例示する図である。
【０００９】
【図６】一部の実施形態に係る測定レポート構成メッセージの例を示す図である。
【００１０】
【図７】一部の実施形態に係る測定レポート構成メッセージの別の例を示す図である。
【００１１】
【図８】一部の実施形態に係る測定レポート構成メッセージの別の例を示す図である。
【００１２】
【図９】一部の実施形態に係る測定レポート構成メッセージの別の例を示す図である。
【発明を実施するための形態】
【００１３】
以下の説明及び図面では、当業者がその実施形態を実施できるように具体的な実施形態について十分に説明する。他の実施形態は、構造的、論理的、電子的、処理的及び他の変更を組み込んでもよい。幾つかの実施形態の部分及び特徴は、他の実施形態の部分及び特徴に含まれるか代替されてもよい。特許請求の範囲において記載される実施形態は、これらの特許請求の範囲の全ての利用可能な均等の範囲を包含する。
【００１４】
図１は、一部の実施形態に係る3GPPネットワークの機能図である。ネットワークは、無線アクセスネットワーク（RAN）（例えば図示されるようにE-UTRAN（evolved  universal  terrestrial  radio  access  network））１００及びコアネットワーク１２０（例えば拡張型パケットコア（EPC：evolved  packet  core））を備え、これらはS1インタフェース１１５を通して一緒に結合されている。利便性及び簡潔性の目的で、コアネットワーク１２０とRAN１００の一部だけを図示している。
【００１５】
コアネットワーク１２０は、モビリティ管理エンティティ（MME）１２２、サービングゲートウェイ（サービングGW）１２４及びパケットデータネットワークゲートウェイ（PDN  GW）１２６を含む。RAN１００は、ユーザ装置（UE）１０２と通信するために（基地局として動作し得る）拡張型ノードＢ（eNB）１０４を含む。eNB１０４は、マクロeNB及び低電力（LP）eNBを含み得る。UE１０２は、eNB104から、潜在的なハンドオーバー処理の一部としてUE１０２で判断されることになる複数の測定イベントを含む、測定レポート構成メッセージを含むことができる。測定イベント（measurement  event）は、ネットワーク内における動作のために構成される１つ以上のセル内で動作するeNB１０４から、UE１０２において受信される１つ以上の信号に対して実施される信号測定（signal  measurement）に関連し得る。
【００１６】
MME１２２は、レガシーのサービングGPRSサポートノード（SGSN）の制御プレーンと、機能において類似する。MME１２２は、ゲートウェイ選択及びトラッキングエリアリスト管理のように、アクセス時のモビリティの側面を管理する。サービングGW１２４は、RAN１００に向かうインタフェースを終結（terminate）させ、RAN１００とコアネットワーク１２０との間でデータパケットをルーティングさせる。さらに、これは、eNB間のハンドオーバーのためのローカルモビリティのアンカーポイントであってよく、3GPP間モビリティのためのアンカーも提供することができる。他のレスポンシビリティは、正当なインターセプト（lawful  intercept）、チャージング（charging）、何らかのポリシー実施を含み得る。サービングGW１２４及びMME１２２は、１つの物理的なノード内又は別個の物理的なノード内で実装され得る。PDN  GW１２６は、パケットデータネットワーク（PDN）に向かうSGiインタフェースを終結させる。PDN  GW１２６は、EPC１２０と外部PDNとの間でデータパケットをルーティングし、PDN  GW１２６は、ポリシー実施及びチャージングデータ収集のためのキーノードとすることができる。非LTEのアクセスでのモビリティのためのアクセスポイントを提供することもできる。外部PDNは、任意の種類のIPネットワーク、並びにIPマルチメディアサブシステム（IMS）ドメインとすることができる。PDN  GW１２６及びサービングGW１２４は、１つの物理的なノード又は別個の物理的なノード内で実装され得る。
【００１７】
eNB１０４（マクロ及びマイクロ）は、エアインタフェースプロトコルを終結させ、UE１０２のための第１の接触点とすることができる。一部の実施形態において、eNB１０４は、RAN１００のための様々な論理機能を果たすことができ、そのような論理機能は、これらに限られないが、無線ベアラ管理、上りリンク及び下りリンク動的無線リソース管理及びデータパケットスケジューリング、並びにモビリティ管理等のような、RNC（無線ネットワークコントローラ機能）を含む。実施形態に応じて、UE１０２は、OFDM通信信号を、OFDMA技術に従ってマルチキャリア通信チャネルを介してeNB１０４に通信するように構成され得る。OFDM信号は複数の直交サブキャリアを備え得る。
【００１８】
S1インタフェース１１５は、RAN１１０とEPC１２０を分離するインタフェースである。これは、２つの部分に分けられる。すなわち、eNB１０４とサービングGW１２４との間のトラフィックデータを運ぶS1-Uと、eNB１０４とMME１２２との間のシグナリングインタフェースであるS1-MMEである。X2インタフェースは、eNB１０４の間のインタフェースである。X2インタフェースは、２つの部分、すなわちX2-CとX2-Uを備える。X2-CはeNB１０４の間の制御プレーンインタフェースであり、X2-Uは、eNB１０４の間のユーザプレーンインタフェースである。
【００１９】
セルラネットワークでは、典型的に、LPセルを使用して、屋外信号があまりよく届かない屋内エリアへカバレッジを広げるか、電車の駅等のように電話使用が非常に高密度のエリア内のネットワーク容量を追加する。本明細書で使用されるとき、低電力（LP：low  power）eNBという用語は、フェムトセル、ピコセル又はマイクロセル等のように（マクロセルよりも狭い）より狭いセルを実装するための任意の適切な比較的低電力のeNBを指す。フェムトセルeNBは典型的に、モバイルネットワークオペレータによって、その住居又は企業の顧客に提供される。フェムトセルは典型的に、住居用ゲートウェイのサイズかより小さいサイズであり、一般的にユーザのブロードバンド回線に接続する。プラグインされると、フェムトセルは、モバイルオペレータのモバイルネットワークに接続し、住居用フェムトセルのために、典型的には３０〜５０メートルの範囲の追加のカバレッジを提供する。したがって、LP  eNBは、PDN  GW１２６を通して結合されるので、フェムトセルeNBであってもよい。同様に、ピコセルは、典型的にビル内（オフィス、ショッピングモール、駅等）や最近では航空機内のような小さなエリアを網羅する、無線通信システムである。ピコセルeNBは一般に、その基地局コントローラ（BSC）の機能を通して、X2リンクをマクロeNBのような別のeNBに接続することができる。したがって、LP  eNBは、X2インタフェースを介してマクロeNBに結合されるので、ピコセルeNBを用いて実装され得る。ピコセルeNB又は他のLP  eNBは、マクロeNBの一部又は全ての機能を組み込むことができる。一部の場合には、これはアクセスポイント基地局又は企業用フェムトセルと呼ばれることがある。
【００２０】
一部の実施形態では、下りリンクリソースグリッドを、eNB１０４からUE１０２への下りリンク伝送に使用することができ、一方、UE１０２からeNB１０４への上りリンク伝送が同様の技術を使用することができる。グリッドは、時間周波数グリッドであってよく、リソースグリッド又は時間周波数リソースグリッドと呼ばれ、各スロットにおける下りリンクの物理リソースである。そのような時間周波数のプレーン表現（plane  representation）は、OFDMシステムのための一般的な実施であり、無線リソース割当てについて直感的なものにする。リソースグリッドの各列及び各行は、それぞれ１つのOFDMシンボルと、１つのOFDMサブキャリアに対応する。時間領域におけるリソースグリッドの期間は、無線フレーム内の１つのスロットに対応する。リソースグリッド内の最小の時間周波数単位は、リソース要素として示される。各リソースグリッドは、リソース要素への特定の物理チャネルのマッピングを説明する、複数のリソースブロックを備える。各リソースブロックは、周波数領域におけるリソース要素の集合を備え、現在割り当てることができるリソースの最小の量を表すことがある。そのようなリソースブロックを使用しで伝達される幾つかの異なる物理下りリンクチャネルが存在する。本開示に特に関連して、これらの物理下りリンクチャネルのうちの２つは、物理下りリンク共有チャネルと、物理下りリンク制御チャネルである。
【００２１】
物理下りリンク共有チャネル（PDSCH）チャネルは、UE（図１）へのユーザデータ及びより高いレイヤのシグナリングを伝達する。物理下りリンク制御チャネル（PDCCH）は、他の中でも特に、PDSCHチャネルに関連するリソース割当て及び伝送フォーマットに関する情報を伝達する。上り共有チャネルに関連する伝送フォーマット、リソース割当て及びH-ARQ情報に関してもUE１０２に通知する。典型的に、下りリンクのスケジュール（セル内のUE１０２への制御及び共有チャネルリソースブロックの割当て）は、eNB１０４において、UE１０２からeNB１０４へフィードバックされるチャネル品質情報に基づいて行われ、次いで、下りリンクリソース割当て情報が、UE１０２のために使用される（UE１０２に割り当てられる）制御チャネル（PDCCH）上でUE１０２へ送信される。
【００２２】
PDCCHはCCE（制御チャネル要素）を使用して、制御情報を伝達する。リソース要素にマッピングされる前に、PDCCH複素シンボル（complex-valued  symbol）を最初にクワドラプレット（quadruplet）に編成する。クワドラプレットは、その後、レートマッチングのためにサブブロックインタリーバを使用して順序が変更される。各PDCCHは、これらの制御チャネル要素（CCD）のうちの１つ以上を使用して送信され、各CCEは、リソース要素グループ（REG）として知られる４つの物理リソース要素の９つのセットに対応する。４つのQPSKシンボルが各REGにマップされる。PDCCHは、DCIのサイズ及びチャネル状態に応じて、１つ以上のCCEを使用して伝送され得る。LTEにおいて異なる数のCCE（例えば集約レベルL=1、２、４又は８）で定義される４つ以上の異なるPDCCHフォーマットが存在してもよい。
【００２３】
図２は、一部の実施形態に係るユーザ装置（UE）の機能図である。図３は、一部の実施形態に係る拡張型ノードB（eNB）の機能図である。一部の実施形態では、eNB３００は、固定の非モバイルデバイスであり得ることに留意されたい。UE２００は、図１に示されるUE102であってよく、eNB３００は、図１に示されるようなeNB１０４であってもよい。UE２００は、１つ以上のアンテナ２０１を使用してeNB３００、他のeNB、他のUE又は他のデバイスとの間で信号を送受信するための物理レイヤ回路２０２を含むことができ、eNB３００は、１つ以上のアンテナ３０１を使用してUE２００、他のeNB、他のUE又は他のデバイスとの間で信号を送受信するための物理レイヤ回路３０２を含むことができる。UE２００は、無線媒体へのアクセスを制御するためのアクセス制御レイヤ（MAC）回路２０４も含むことができ、eNB３００も、無線媒体へのアクセスを制御するためのアクセス制御レイヤ（MAC）回路３０４を含むことができる。UE２００は、本明細書で説明される動作を実行するように構成される処理回路２０６及びメモリ２０８も含んでよく、eNB３００も、本明細書で説明される動作を実行するように構成される処理回路３０６及びメモリ３０８を含んでよい。eNB３００は、他のeNB１０４（図１）、EPS１２０（図１）内のコンポーネント又は他のネットワークコンポーネントを含め、他のコンポーネントとの通信を可能にすることができる１つ以上のインタフェース３１０も含み得る。さらに、インタフェース３１０は、ネットワークの外部にあるコンポーネントを含め、図１に図示されていない他のコンポーネントとの通信も可能にすることができる。インタフェース３１０は、有線であっても無線であってもよく、あるいはその組合せであってもよい。
【００２４】
アンテナ２０１、３０１は、例えばダイポールアンテナ、モノポールアンテナ、パッチアンテナ、ループアンテナ、マイクロストリップアンテナ又はRF信号の伝送に適した他のタイプのアンテナを含め、１つ以上の指向性アンテナ又は全方向性アンテナを備え得る。MIMO（multiple-input  multiple-output）の実施形態では、アンテナ２０１、３０１を効率的に分離して、空間的多様性及び結果として得られる異なるチャネル特性を利用することができる。
【００２５】
一部の実施形態において、本明細書で説明されるモバイルデバイス又は他のデバイスは、パーソナルデジタルアシスタント（PDA）、無線通信能力を有するラップトップ又はポータブルコンピュータ、ウェブタブレット、無線電話、スマートフォン、無線ヘッドセット、ページャ、インスタントメッセージングデバイス、デジタルカメラ、アクセスポイント、テレビジョン、医療デバイス（例えば心拍モニタ、血圧モニタ等）又は無線で情報を送受信することができる他のデバイスのような、ポータブル無線通信デバイスの一部とすることができる。一部の実施形態において、モバイルデバイス又は他のデバイスは、3GPP規格に従って動作するように構成されるUE又はeNBとすることができる。一部の実施形態において、モバイルデバイス又は他のデバイスは、IEEE802.11又は他のIEEE規格を含め、他のプロトコル又は規格に従って動作するように構成され得る。一部の実施形態において、モバイルデバイス又は他のデバイスは、キーボード、ディスプレイ、不揮発性メモリポート、多重アンテナ、グラフィクスプロセッサ、アプリケーションプロセッサ、スピーカ及び他のモバイルデバイス要素のうちの１つ以上を含むことができる。ディスプレイは、タッチスクリーンを含むLCD画面とすることができる。
【００２６】
UE２００及びeNB３００は各々、幾つかの別個の機能要素を有するように図示されているが、機能要素の１つ以上が組み合わされてもよく、デジタル信号プロセッサ（DSP）を含む処理要素及び／又は他のソフトウェア要素のような、ソフトウェア構成される要素の組合せによって実装されてもよい。例えば一部の要素は、１つ以上のマイクロプロセッサ、DSP、フィールドプログラマブルゲートアレイ（FPGA）、特定用途向け集積回路（ASIC）、無線周波数集積回路（RFIC）及び本明細書で説明される機能を少なくとも実行する様々なハードウェアと論理回路の組合せを備え得る。一部の実施形態において、機能要素は、１つ以上の処理要素上で動作する１つ以上のプロセスを指すことがある。
【００２７】
諸実施形態を、ハードウェア、ファームウェア及びソフトウェアのうちの１つ又は組合せで実装することができる。実施形態を、本明細書で説明される動作を実行するよう少なくとも１つのプロセッサによって読み取られて実行され得る、コンピュータ読取可能記憶デバイス上に格納される命令として実装することもできる。コンピュータ読取可能記憶デバイスは、マシン（例えばコンピュータ）によって読み取り可能な形式で情報を格納するための任意の非一時的な機構を含み得る。例えばコンピュータ読取可能記憶デバイスは、読取専用メモリ（ROM）、ランダムアクセスメモリ（RAM）、磁気ディスク記憶媒体、光記憶媒体、フラッシュメモリデバイス及び他の記憶デバイス及び媒体を含み得る。一部の実施形態は、１つ以上のプロセッサを含んでよく、コンピュータ読取可能記憶媒体上に格納された命令を用いて構成され得る。
【００２８】
諸実施形態によると、UE１０２は、周波数間ハンドオーバーをサポートすることができ、eNB１０４から測定レポート構成メッセージを受け取ることができる。このメッセージは、UE102において決定されるべき複数の測定イベントを含み得る。UE１０２は、組合せ測定イベント（combined  measurement  event）が起こると、測定レポートを送信することができる。組合せ測定イベントは、複数の測定イベントが発生するときにその組合せ測定イベントが発生するよう、「論理AND」演算子に従って複数の測定イベントの組合せを含み得る。測定イベントは、ネットワーク内における動作のために構成される１つ以上のセルからUE１０２において受け取った１つ以上の信号に対して実施される、信号測定に関連し得る。これらの実施形態は、以下でより詳細に説明される。
【００２９】
図４は、一部の実施形態に従って、マクロセルオーバレイ及び複数のマイクロセルが展開されるシナリオの例を図示している。一部の場合には、マイクロセルは、以前に説明したようなピコセル又はフェムトセルと同様であってよく、これもまた以前に説明したマクロeNB１０４（図１）によって供給され得る。加えて、以前に説明したように、一部の場合には、マクロセルがマクロeNB１０４（図１）によって供給され得る。実施形態は、マクロセル、マイクロセル又はクラスタの数に関して、あるいはレイアウト又は図示される他の図形的態様に関して、図４に示される例示のシナリオ４００に限定されないことに留意されたい。シナリオ４００では、マクロセルオーバレイは、３つのセル４１０、４２０、４３０を含む。加えて、マイクロセル４４０は、マクロセル４１０内の「クラスタ」として展開され、マクロセル４５０は、マクロセル４１０、４２０のカバレッジの境界上のクラスタとして展開される。マクロセル４６０は、「非クラスタ」展開においてマクロセル４３０内に展開される。したがって、クラスタは、オーバーラップするか、マクロセルの半径と比べて互いに小さな距離内に配置され得る、小さなセルのグループを指すことがある。非クラスタは、オーバーラップしていないか、マクロセルの半径と比べてさほど小さくない距離だけ間隔を空けた小さなセルのグループを指すことがある。
【００３０】
一部の実施形態において、マクロセルは、マイクロセルによって使用される周波数帯域とは異なる周波数帯域を使用することができる。図４に図示されるネットワーク内で動作しているUE１０２（図１）は、ハンドオーバーすべきかどうかを判断するか、ハンドオーバーの決定を助けるために測定レポートを１つ以上のeNB１０４に送信すべきかどうかを判断するため、異なるセル（マクロ及びマイクロ）をモニタすることができる。レポートは、UE１０２において決定される信号品質、信号レベル又は他の性能指標に関連する情報を含むことができる。例として、3GPP又は他の規格からの基準信号受信品質（RSRQ）又は基準信号受信パワー（RSRP）の測定を使用することができる。RSRQは、測定エラー又は他のメトリクスに関して、RSRPよりも周波数間シナリオのために良い選択肢である可能性がある。加えて、例えば小さなセルがクラスタとして展開されるか、非クラスタとして展開されるかといった、他の考慮事項がRSRQ及びRSRP測定に影響を与える可能性がある。したがって、一部の展開では、RSRQ及び／又はRSRP測定の使用は、好ましくないハンドオーバーシナリオを回避又は軽減するために、注意深く行われる必要があり得る。例えば小さなセルのクラスタは、非クラスタよりもより高い干渉を経験する可能性があり、この高い干渉は、そのクラスタに対する低いRSRQにつながることがある。UE１０２が物理的にクラスタにより近くなると、eNB１０４又は他の基地局へ報告される測定値は、誤解を与える恐れがあり得る。加えて、そのRSRQについての測定レポートが不必要にトリガされることがあり、システムリソースは、そのような無線トラフィックの伝送に浪費され得る。
【００３１】
図５は、一部の実施形態に従って、周波数間ハンドオーバーをサポートするための方法の動作を図示している。一部の実施形態では、第１の周波数帯域で動作するマクロセルと、第２の異なる周波数帯域で動作するマイクロセルとの間でハンドオーバーが生じ得る。一部の実施形態では、マイクロセルは、第２の周波数帯域で動作するマイクロセルのクラスタ内に含まれ得る。しかしながら、実施形態はこれらの構成に限定されず、本明細書で説明される技術及び動作の一部又は全てを、マイクロセル又はマイクロセルに専用のシステム又はネットワークに適用することができる。加えて、実施形態は、周波数間ハンドオーバーにも限定されない。
【００３２】
方法５００は、図５に図示されるものと比べて更なる動作又は処理、あるいはより少ない動作又は処理を含んでもよいことを認識することが重要である。加えて、方法５００の実施形態は、必ずしも図５に示される時系列に限定されない。方法５００を説明する際、図１〜図４及び図６〜図９を参照することがあるが、方法５００は、任意の他のシステム、インタフェース及びコンポーネントを用いて実施されてもよいことが理解される。例えば例示の目的で以前に説明した図４のシナリオ４００を参照することがあるが、方法５００の技術及び動作はそのように限定されない。
【００３３】
加えて、方法５００及び本明細書で説明される他の方法は、3GPP又は他の規格に従って動作するeNB１０４又はUE１０２について言及することがあるが、これらの方法の実施形態は、eNB１０４又はUE１０２だけに限定されず、Wi-Fiアクセスポイント（AP）やユーザステーション（STA）のような他のモバイルデバイスによって実施されてもよい。さらに、本明細書で説明される方法５００及び他の方法は、IEEE802.11のような様々なIEEE規格に従って動作するように構成されるシステムを含め、他の適切なタイプの無線通信システムにおいて動作するよう構成される無線デバイスによって実施されてもよい。
【００３４】
方法５００の動作５０５において、測定レポート構成メッセージをUE１０２で受け取ることができる。一部の実施形態において、測定レポート構成メッセージは、候補ハンドオーバーセルについて、UE１０２で決定すべき複数の測定イベントを含み得る。測定イベントは、ネットワーク内における動作のために構成される１つ以上のセルからUE１０２において受信される１つ以上の信号に対して実行される、RSRQ又はRSRP又は他のような信号測定に関連し得る。例として、測定イベントは、サービングセル又は候補ハンドオーバーセルのためのUE１０２における信号測定に少なくとも基づくものとすることができる。
【００３５】
組合せ測定イベントは、複数の測定イベントが起こるときに組合せ測定イベントが起こるような、「論理AND」演算子に従って複数の測定イベントの組合せを含むことができる。加えて、測定レポート構成メッセージは更に、先ほど説明した「論理AND」のような１つ以上の論理演算子を含み得る。これは、動作５１０において、候補ハンドオーバーセルの各々について組合せ測定イベントを形成するよう使用され得る。一部の実施形態において、組合せ測定イベントは、測定イベントの結合（joint）発生に関連することがあり、測定レポート構成メッセージは、組合せ測定イベントが、「論理AND」演算子に従って測定イベントの結合発生に関連することを示すイベント関係演算子を含み得る。
【００３６】
一部の実施形態において、測定イベントは、RSRQ、RSRP又は他の信号測定若しくは性能測定が、特定の値又は特定の範囲内の値をとるときに起こり得る。したがって、各候補ハンドオーバーセルについての測定イベントは、UE１０２において候補ハンドオーバーセルから受け取った信号に少なくとも部分的に基づくものであってよい。測定イベントの決定又は測定イベントが発生するという決定は、一部の実施形態では、RSRQ又はRSRPと、閾値との比較又は別のRSRQ又はRSRPとの比較を含み得る。
【００３７】
一部の実施形態において、測定イベントの発生は、信号測定結果と、所定の閾値との間の差に関連し得る。一部の実施形態において、測定イベントの発生は、測定イベントについての信号測定結果同士の間の差に関連してもよい。信号測定結果は、サービングセル及び候補ハンドオーバーセルから受け取った信号に関連し得る。
【００３８】
例として、測定イベントは、信号測定結果が閾値の上又は下、あるいは別の信号測定値のような別の値の上又は下であるときに、生じ得る。別の例として、信号測定結果と閾値又は他の値との間の差が、所定の差分閾値を超えることがある。例えば測定イベントは、RSRQが、3dB又は他の値のような特定の量だけ、受入可能な性能のターゲットRSRQ値を超えるときに生じ得る。
【００３９】
一部の実施形態において、論理演算子は、これらに限られないが「論理AND」及び「論理OR」を含む、候補論理演算子のグループから選択され得る。例として、測定レポート構成メッセージが、第１の測定イベント、第２の測定イベント及び「論理AND」演算子を含むことがあり、組合せ測定イベントは、第１及び第２の測定イベントが起こるときに起こり得る。一部の実施形態では、「論理NAND」又は「論理NOR」又は「論理NOT」又は他のものを含め、他の論理演算子も使用され得る。
【００４０】
測定レポート構成メッセージの幾つかの例示の実施形態を、図６〜図９に関連して例示することにする。これらの例は、本明細書で説明される概念の説明のために提示されているが、実施形態は、パラメータや情報が提示される順序、あるいは構文又は命名規則のような任意の他の提示態様に限定されないことに留意されたい。例えば一部の実施形態では、3GPP又は他のような規格に関連付けられる構文又はプログラミング言語が使用され得る。一部の実施形態は、これらの実施例のうちの１つ以上で提示される一部又は全てのパラメータ又は情報を含むことがあり、図示又は説明されない追加のパラメータ又は情報を含むこともある。加えて、実施例は、3GPP規格で使用されるReportConfigEUTRA情報要素（IE）を説明しているが、測定レポート構成メッセージは、そのようなものに限定されず、一部の実施形態では、3GPPの別のメッセージ、他の規格で使用されるメッセージ又はそのような規格とは独立に使用されるメッセージであってもよい。
【００４１】
図６は、一部の実施形態に係る測定レポート構成メッセージの例を図示している。測定レポート構成メッセージ６００は、3GPP又は他の規格で使用される「eventList」パラメータ又はその他であり得る、イベントリストサイズ６０５を含み得る。イベントリストサイズ６０５は、メッセージ６００内にどのくらい多くの測定イベントが含まれるか、あるいはどの測定イベントが含まれるかを記述することができ、他の関連情報も含み得る。メッセージ６００は、測定イベントを結合して測定レポートトリガとして使用するための結合イベントにすることを可能にする、１つ以上の論理演算子６０７も含み得る。例として、論理演算子６０７は3GPP又は他の規格で使用される「eventsRelation」パラメータとすることができる。以前に説明したように、論理演算子６０７は、「論理AND」や「論理OR」又は他の適切な値のような値をとることができる。「論理AND」の値が使用されるとき、特定の候補ハンドオーバーセルについての測定レポートは、その特定の候補ハンドオーバーセルについて、含まれる測定イベントの全てが起こるときにトリガされ得る。「論理OR」の値が使用されるとき、特定の候補ハンドオーバーセルについての測定レポートは、その特定の候補ハンドオーバーセルについて、含まれる測定イベントの少なくとも１つの測定イベントが起こるときにトリガされ得る。したがって、「論理AND」演算子はより制限的であるので、測定レポートのトリガは、「論理OR」の値が使用されるときよりも、「論理AND」の値が使用されるときの方が、発生頻度がより少ない。結果として、より少ないハンドオーバーの試みが行われ得るか、かつ／又はより少ない測定レポートがUE１０２によって無線で送信され得る。
【００４２】
メッセージ６００は、測定イベントについて測定すべき量を指示し得る、信号測定６０９も含み得る。一部の実施形態において、信号測定６０９は、RSRQ及びRSRPを含むグループから選択されてよいが、そのように限定されない。信号測定６０９はまた、「トリガ量（trigger  quantity）」あるいは3GPP又は他の規格で使用される他の用語で呼ばれるか、これらと同じものとすることができることに留意されたい。
【００４３】
測定レポート構成メッセージ６００は、６１０、６２０、６３０、６４０、６５０及び６６０のような任意の数の測定イベントを含み得る。この非限定的な例では、これらのイベントは、それぞれ3GPP規格で使用されるイベントA1〜A6に対応する。したがって、閾値やオフセットといった、これらのイベントに関連付けられる様々な他のパラメータもメッセージ６００に含まれ得る。説明の目的でこれらのイベントが以下で説明されるが、測定レポート構成メッセージ６００は、これら又は他の3GPPイベントに限定されないことに留意されたい。
【００４４】
第１の測定イベント６１０はA1イベントであり、対応するa1-閾値６１５が、測定イベント６１０で使用するために含まれ得る。したがって、測定イベント６１０は、サービングセルに関連付けられる信号測定結果がa1-閾値６１５よりも良好であるときに起こり得る。例として、含まれる信号測定６０９はRSRQであり、測定イベント６１０は、サービングセルについて測定されるRSRQがa1-閾値６１５よりも大きいときに発生し得る。
【００４５】
第２の測定イベント６２０はA2イベントであり、対応するa2-閾値６２５が、測定イベント６２０で使用するために含まれ得る。したがって、測定イベント６２０は、サービングセルに関連付けられる信号測定結果がa2-閾値６２５よりも悪いときに発生し得る。例として、含まれる信号測定６０９はRSRQであり、測定イベント６２０は、サービングセルについて測定されるRSRQがa2-閾値６２５よりも小さいときに発生する。
【００４６】
第３の測定イベント６３０はA3イベントであり、対応するa3-オフセット６３５が、測定イベント６３０で使用するために含まれ得る。したがって、測定イベント６３０は、近傍セル（又は候補ハンドオーバーセル）に関連付けられる信号測定結果が、少なくともa3-オフセット６３５の差だけプライマリセル（又はサービングセル）に関連付けられる信号測定結果よりも良好であるときに発生し得る。第３の測定イベント６３０についての「レポート・オン・リーブ（report  on  leave）」インジケータ６３７も含まれ、このインジケータ６３７は、対応するリーブ（退去）条件に合致するときに測定レポートをトリガし得る。
【００４７】
第４の測定イベント６４０はA4イベントであり、対応するa4-閾値６４５が、測定イベント６４０で使用するために含まれ得る。したがって、測定イベント６４０は、近傍セル（又は候補ハンドオーバーセル）に関連付けられる信号測定結果が、a4-閾値６４５よりも良好であるときに発生し得る。例として、含まれる信号測定６０９はRSRQであり、測定イベント６４０は、近傍セルについて測定されるRSRQがa4-閾値６４５よりも大きいときに発生し得る。
【００４８】
第５の測定イベント６５０はA5イベントであり、対応する「a5-閾値１」６５５及び「a5-閾値２」６５７が、測定イベント６５０で使用するために含まれ得る。したがって、測定イベント６５０は、プライマリセル（又はサービングセル）に関連付けられる信号測定結果が、「a5-閾値１」６５５よりも悪く、近傍セル（又は候補ハンドオーバーセル）が、「a5-閾値２」６５７よりも良好であるときに発生し得る。例として、含まれる信号測定６０９はRSRQであり、測定イベント６５０は、プライマリセルについて測定されるRSRQが「a5-閾値１」６５５よりも小さく、近傍セルについて測定されるRSRQが「a5-閾値２」６５７よりも大きいときに発生する。
【００４９】
第６の測定イベント６６０はA6イベントであり、対応するa6-オフセット６６５が、測定イベント６６０で使用するために含まれ得る。したがって、測定イベント６６０は、近傍セル（又は候補ハンドオーバーセル）に関連付けられる信号測定結果が、少なくともa6-オフセット６６５の差だけセカンダリセル（又はサービングセル）に関連付けられる信号測定結果よりも良好であるときに発生し得る。第６の測定イベント６６０についての「レポート・オン・リーブ」インジケータ６６７も含まれ、このインジケータ６６７は、対応するリーブ（退去）条件に合致するときに測定レポートをトリガし得る。
【００５０】
加えて、他の測定イベント、パラメータ又は情報６７０が測定レポート構成メッセージ６００内に含まれてもよい。例として、以前に説明したものと異なる測定イベントが使用されてよく、そのような測定イベントは、閾値、オフセット又は他の数に応じて定義され得る範囲内の値をとる任意の適切な性能測定（指標）に関連し得る。そのような測定は、サービングセル、近傍セル、プライマリセル、セカンダリセル又は候補ハンドオーバーセルに関連付けられ得る。別の例として、測定イベントの発生すべき順序に条件が合致しなければならない期間を、タイマー値又はヒステリシス値が指示してもよい。
【００５１】
図７は、一部の実施形態に係る測定レポート構成メッセージの別の例を図示する。測定レポート構成メッセージ７００は、図６に図示される前述のパラメータと同様のイベントリストサイズ７０５を含み得る。メッセージ７００は、「eventAnd」演算子６０７も含んでよい。「eventAnd」演算子６０７は、「論理AND」演算子を、含まれる測定イベントに適用することにより、組合せ測定イベントが形成されることになることを指示する論理演算子である。したがって、組合せ測定イベントは、含まれる測定イベントの全てが起こるときに起こり得る。加えて、図６に関して以前に説明したように、７１０、７２０、７３０、７４０、７５０、７６０及びその他のような任意の数の測定イベントが使用されてもよい。他の測定イベント、パラメータ又は情報７７０も含まれることがあり、これらは、図６に関して以前に説明したものと同様であってよい。
【００５２】
図６に示される測定レポート構成メッセージ６００の使用に関して以前に説明したように、測定レポート構成メッセージ７００内に含まれる「論理AND」演算子の結果、ハンドオーバー試行及び／又はUE１０２によって送信されている測定レポートはより少ないものとなり得る。
【００５３】
図８は、一部の実施形態に係る測定レポート構成メッセージの別の例を図示している。測定レポート構成メッセージ８００は、イベントリストサイズ８０５及び１つ以上の論理演算子８０７を含んでよく、これらは図６に図示される前述のパラメータと同様であってよい。加えて、８１０、８２０、８３０、８４０、８５０、８６０及びその他のような任意の数の測定イベントが使用され得る。これらの測定イベントは、図6に関して以前に説明したA1〜A6イベントと同様であってよい。
【００５４】
しかしながら、図８に図示されるように、測定レポート構成メッセージ８００内に含まれる例示の測定イベントは、それぞれ、前述のように使用され得る個々の信号測定８１８、８２８、８３８、８４８、８５８及び８６８を含むことができる。すなわち、測定イベントの少なくとも一部について、各測定イベントの発生は、測定レポート構成メッセージ８００内に含まれる個々の信号測定（８１８、８２８、８３８，８４８、８５８及び８６８等）に関連し得る。
【００５５】
例として、測定レポート構成メッセージ８００がA1イベント８１０及びA2イベント８２０を含み、信号測定８１８がRSRQであり、信号測定８２８がRSRPであり得る。したがって、第１の測定イベント８１０は、サービングセルについて測定されたRSRQがa1-閾値８１５より大きいときに発生し、第２の測定イベント８２０は、サービングセルについて測定されたRSRPがa2-閾値８２５よりも小さいときに発生し得る。例を続けると、論理演算子８０７が「論理AND」であることがあり、したがって、組合せ測定イベントは、第１の測定イベント８１０及び第２の測定イベント８２０が発生するときに発生し得る。他の測定イベント、パラメータ又は情報８７０も含まれることがあり、これらは図８に関して前述したものと同様であってよい。
【００５６】
図９は、一部の実施形態に係る測定レポート構成メッセージの別の例を図示している。測定レポート構成メッセージ９００は、イベントリストサイズ９０５及び１つ以上の論理演算子９０７を含んでよく、これらは図６に図示される前述のパラメータと同様であってよい。加えて、任意の数のレガシー測定イベント９１０が、任意の数の非レガシー測定イベント９２０とともに含まれ得る。すなわち、測定レポート構成メッセージ９００は、レガシーUE１０２による使用のための第１の測定イベントグループと、非レガシーUE１０２による使用のための第２の測定イベントグループとを含み得る。これらの測定イベントは、図６〜図８に関して以前に説明したA1〜A6イベントと同様であってよく、また、図６〜図８において説明される技術のいずれかを使用して特徴付けられ得る。例として、非レガシー測定イベント９２０は、個々の信号測定が指定されるイベントを含み得る。UE１０２が非レガシーUE102であるとき、非レガシーイベント９２０が使用され得る。レガシーUE１０２は、レガシー測定イベント９１０を使用してよく、非レガシーイベント９２０を解釈又は使用するように構成されてもよく、そのように構成されていなくてもよい。したがって、後方互換性が実現され得る。
【００５７】
例として、測定レポート構成メッセージは、第１の測定イベント及び第２の測定イベントを含み得る。第１の測定イベントは、候補ハンドオーバーセルのRSRQと、サービングセルのRSRQとの間の差が第１のRSRQ閾値を超えるときに発生し得る。第２の測定イベントは、候補ハンドオーバーセルのRSRQが第２のRSRQ閾値を超えるときに発生し得る。第１及び第２の測定イベントの双方が発生するときに、組合せイベントが発生し得る。すなわち、組合せイベントは、測定レポート構成メッセージ内に含まれ得る「論理AND」演算子に従って形成又は定義され得る。一部の実施形態では、第１及び第２の測定イベントは、それぞれA3イベント及びA4イベントであってよく、この場合、A3イベント及びA４イベントは3GPP又は他の規格に含まれ得る。一部の場合には、この構成の使用は、以前に説明したA2イベントを使用することに対して、改善された性能を提供することができる。
【００５８】
方法５００に戻ると、動作５１５において、各候補ハンドオーバーセルについて、測定レポート構成メッセージ内に含まれる測定イベントを決定する。動作５２０において、各候補ハンドオーバーセルについて、組合せ測定イベントが決定され得る。動作５１５及び動作５２０を、任意の適切な実装の一部として別個に又は結合して実行してもよいことを認識されたい。加えて、測定イベント又は組合せ測定イベントの発生は、ある時間期間の間のそのような発生を含み得る。すなわち、測定イベントに含まれる条件は、測定イベントが発生したことを決定するために、少なくともある時間期間の間、続くことを必要とすることがある。例として、3GPP又は他の規格のTTT（time-to-trigger：タイムトゥトリガ）タイマーパラメータを使用することができる。したがって、障害又は環境や他の要因に関連する異常値又は時間条件を無視することができ、測定イベントは、より多くの平均的なタイプの値に焦点を当てることができる。
【００５９】
動作５２５において、候補ハンドオーバーセルについて組合せ測定イベントが起こるとき、その候補ハンドオーバーセルのための測定レポートが送信され得る。すなわち、レポートは、UE１０２における候補ハンドオーバーセルについての組合せ測定イベントのトリガに応答して送信され得る。レポートは、サービングeNB１０４又は他のeNB１０４に送信され得る。一部の実施形態において、レポートは、以前に説明したものと同様に、信号測定結果についての値又は履歴を含み得る。レポートは、単一の候補ハンドオーバーセルに関連し得るが、そのような実施形態は限定ではない。レポートは、一部の実施形態において、複数の候補ハンドオーバーセルについて前述の情報を含み得る。
【００６０】
動作５３０において、候補ハンドオーバーセルのうちの１つへのハンドオーバーを指示又は命令するハンドオーバーメッセージが、UE１０２において受信され得る。ハンドオーバーメッセージは、サービングセルのeNB１０４のような、eNB１０４のうちの１つによって送信され得る。したがって、ハンドオーバーを指示し、かつハンドオーバーメッセージを送信するというeNB１０４の決定は、以前に説明した測定レポート内に含まれる情報に少なくとも部分的に基づいて行われ得る。動作５３５において、UE１０２は、１つ以上のハンドオーバーセットアップメッセージを候補ハンドオーバーセルと交換することができる。交換は、ハンドオーバーメッセージの受信に応答して実施されるか、組合せ測定イベントが発生するときに実施され得る。
【００６１】
前述の実施形態の測定レポート構成メッセージは、eNB１０４で生成され、eNB１０４で知られ、そしてeNB１０４によって送信され得ることに留意されたい。eNB１０４は、候補ハンドオーバーセルについてUE１０２における組合せ測定イベントの発生を示す測定レポートを受け取ることがある。前述の実施形態の組合せ測定イベントは、測定レポートに含まれるか、測定レポートに少なくとも部分的に基づいてeNB１０４で決定され得る。測定レポート及び／又は組合せ測定イベントに基づいて、eNB１０４は、候補ハンドオーバーセルのうちの１つへのハンドオーバーを指示するか、そのようなハンドオーバーを実行するようにUE１０２に命令するハンドオーバーメッセージをUE１０２に送信し得る。
【００６２】
本明細書では、3GPP  LTEネットワーク内の周波数間のハンドオーバーをサポートするユーザ装置（UE）が開示される。UEは、そのUEで判断すべき複数の測定イベントを含む測定レポート構成メッセージを拡張型ノードＢ（eNB）から受け取るように構成されるハードウェア処理回路を備えることができる。ハードウェア処理回路は、組合せ測定イベントが発生するときに測定レポートを送信するように更に構成され得る。組合せ測定イベントは、複数の測定イベントが発生するときにその組合せ測定イベントが発生するよう、「論理AND」演算子に従って複数の測定イベントの組合せを含み得る。測定イベントは、ネットワーク内における動作のために構成される１つ以上のセルからUEにおいて受信される１つ以上の信号に対して実行される、信号測定に関連し得る。
【００６３】
一部の実施形態において、各信号測定は、基準信号受信品質（RSRQ）と基準信号受信パワー（RSRP）のうちの一方であり得る。一部の実施形態では、UEにおいて受信される信号は、サービングセルから及び／又は候補ハンドオーバーセルから受信され得る。一部の実施形態において、測定イベントのうちの少なくとも１つの測定イベントの発生は、測定イベントについての信号測定結果と、所定の閾値との間の差に関連し得る。一部の実施形態において、測定イベントのうちの少なくとも１つの測定イベントの発生は、測定イベントについての信号測定結果同士の間の差に関連し、信号測定結果は更に、サービングセル及び候補ハンドオーバーセルについてのものであってよい。
【００６４】
一部の実施形態では、測定レポート構成メッセージは、複数の測定イベントの組合せについての１つ以上の論理演算子を更に含み得る。論理演算子は、「論理AND」及び「論理OR」を含むグループからの値をとることができる。組合せ測定イベントは、論理演算子が「論理AND」の値をとるとき、「論理AND」演算子に従って複数の測定イベントの組合せを含み得る。一部の実施形態において、候補論理演算子のグループは更に、「論理NAND」及び「論理NOR」及び「論理NOT」演算子を含み得る。
【００６５】
一部の実施形態において、測定イベントのうちの少なくとも１つの測定イベントの発生は、RSRQとRSRQ閾値との間の差又はRSRQと別のRSRQとの間の差に関連し得る。測定イベントのうちの少なくとも１つの測定イベントの発生は、RSRPとRSRP閾値との間の差又はRSRPと別のRSRPとの間の差に関連し得る。一部の実施形態において、測定イベントの少なくとも一部について、各測定イベントの発生は、測定レポート構成メッセージ内に含まれる個々の信号測定に関連し、各個々の信号測定は、RSRQとRSRPのうちの一方とすることができる。
【００６６】
一部の実施形態において、ハンドオーバーは、第１の周波数帯域で動作するマクロセルと、第２の異なる周波数帯域で動作するマイクロセルとの間で起こり得る。一部の実施形態において、組合せ測定イベントの発生は、TTT（time-to-trigger）タイマーパラメータに従う、時間期間の間の測定イベントの発生を含み得る。一部の実施形態において、UEは非レガシーのUEであってよく、測定レポート構成メッセージは、レガシーUEによる使用のための第１の測定イベントグループと、非レガシーUEによる使用のための第２の測定イベントグループを含み得る。
【００６７】
一部の実施形態において、第１の測定イベントは、候補ハンドオーバーセルのRSRQと、サービングセルのRSRQとの間の差が第１のRSRQ閾値を超えるときに発生し得る。第２の測定イベントは、候補ハンドオーバーセルのRSRQが第２のRSRQ閾値を超えるときに発生し得る。組合せ測定イベントの発生は、第１の測定イベントと第２の測定イベントの発生を含み得る。一部の実施形態では、第１の測定イベントがA3イベントであってよく、第２の測定イベントはA4イベントであってよい。
【００６８】
本明細書では、3GPP  LTEネットワーク内で動作するユーザ装置（UE）における周波数間のハンドオーバーの方法も開示される。方法は、UEで判断すべき複数の測定イベントを含む測定レポート構成メッセージを受け取ることを含み得る。方法は、測定イベントの結合発生に関連する組合せ測定イベントについてモニタリングすることを更に含み得る。測定イベントは、少なくとも部分的に、サービングセル又は候補ハンドオーバーセルについてのUEにおける信号測定に基づくものであってよい。方法は、組合せ測定イベントが発生するとき、測定レポートを送信するステップと、組合せ測定イベントが発生するとき、候補ハンドオーバーセルと１つ以上のハンドオーバーセットアップメッセージを交換するステップを更に含み得る。一部の実施形態において、組合せ測定イベントの発生は、TTT（time-to-trigger）タイマーパラメータに従う、時間期間の間の測定イベントの発生を含み得る。
【００６９】
一部の実施形態において、測定レポート構成メッセージは、組合せ測定イベントが「論理AND」演算子に従って測定イベントの結合発生に関連することを示す、イベント関係（event  relationship）演算子を含み得る。方法は、サービングeNBから、候補ハンドオーバーセルへハンドオーバーするようUEに命令するハンドオーバーメッセージを受け取るステップを更に含み得る。一部の実施形態において、各測定イベントの発生は、基準信号受信品質（RSRQ）又は基準信号受信パワー（RSRP）の値に基づくことがある。一部の実施形態において、第１の測定イベントは、候補ハンドオーバーセルのRSRQと現在のセルのRSRQとの間の差が第１のRSRQ閾値を超えるときに発生し得る。第２の測定イベントは、候補ハンドオーバーセルのRSRQが第２のRSRQ閾値を超えるときに発生し得る。組合せ測定イベントの発生は、第１の測定イベント及び第２の測定イベントの発生を含み得る。
【００７０】
本明細書では、周波数間のハンドオーバーのための動作を実行するよう１つ以上のプロセッサによって実行するための命令を格納する非一時的コンピュータ読取可能記憶媒体も開示される。動作は、UEで判断すべき複数の測定イベントを含む測定レポート構成メッセージを拡張型ノードＢ（eNB）から受け取り、組合せ測定イベントが発生するときに測定レポートを送信するように１つ以上のプロセッサを構成する。一部の実施形態において、組合せ測定イベントは、複数の測定イベントが発生するときに発生するよう、「論理AND」識別子に従って複数の測定イベントの組合せを含む。一部の実施形態において、測定イベントは、ネットワーク内における動作のために構成される１つ以上のセルからUEにおいて受信される１つ以上の信号に対して実行される、信号測定に関連し得る。
【００７１】
一部の実施形態において、各信号測定は、基準信号受信品質（RSRQ）と基準信号受信パワー（RSRP）のうちの一方であり得る。UEにおいて受信される信号は、サービングセルから及び／又は候補ハンドオーバーセルから受信され得る。第１の測定イベントは、候補ハンドオーバーセルのRSRQとサービングセルのRSRQとの差が第１のRSRQ閾値を超えるときに発生するA3イベントである。第２の測定イベントは、候補ハンドオーバーセルのRSRQが第２のRSRQ閾値を超えるときに発生するA４イベントである。組合せ測定イベントの発生は、第１の測定イベント及び第２の測定イベントの発生を含む。
【００７２】
要約は、読み手が技術開示の内容及び要旨を決定することを可能にする要約を要求する37CFR§1.72(b)の規定を順守するよう提供される。これは、請求項の範囲又は意味を限定又は解釈するために使用されることはないという理解の下に提示される。これにより、以下の請求項は、詳細な説明に組み込まれるが、各請求項は別個の実施形態としてそれ自体に依存する。
【図１】
0006339223.tif 000002
【図２】
0006339223.tif 000003
【図３】
0006339223.tif 000004
【図４】
0006339223.tif 000005
【図５】
0006339223.tif 000006
【図６】
0006339223.tif 000007
【図７】
0006339223.tif 000008
【図８】
0006339223.tif 000009
【図９】
0006339223.tif 000010